【手続補正書】
【提出日】平成23年3月23日(2011.3.23)
【手続補正１】
【補正対象書類名】特許請求の範囲
【補正対象項目名】全文
【補正方法】変更
【補正の内容】
【特許請求の範囲】
【請求項１】
オートフォーカス機能を備えた撮像装置において、
撮像した被写体の画像データをスルー画像として表示する表示手段と、
オートフォーカス機能によるピント合わせの対象となる被写体部分を特定する特定手段と、
この特定手段により特定された被写体部分までの距離を取得する距離取得手段と、
この距離取得手段により取得された距離に基づいて、前記特定手段により特定された被写体部分における装置に対する奥行き方向の位置を３次元的に表現するための表示オブジェクトを前記表示手段に前記スルー画像に重ねて表示させる表示処理手段と
を備えたことを特徴とする撮像装置。
【請求項２】
前記表示処理手段は、前記スルー画像内でつながりをもって描画される１または複数の表示オブジェクトにより、前記特定手段により特定された被写体部分の上下左右方向の位置と奥行き方向の位置の両方を同時に表現することを特徴とする請求項１記載の撮像装置。
【請求項３】
前記表示処理手段は、前記スルー画像内でつながりをもって描画される１つの表示オブジェクトの位置と形状により、前記特定手段により特定された被写体部分の上下左右方向の位置と奥行き方向の位置の両方を同時に表現することを特徴とする請求項２記載の撮像装置。
【請求項４】
前記表示処理手段は、前記スルー画像内でつながりをもって描画される複数の表示オブジェクトの各々の位置と、これら複数の表示オブジェクトの接続位置により、前記特定手段により特定された被写体部分の上下左右方向の位置と奥行き方向の位置の両方を同時に表現することを特徴とする請求項２記載の撮像装置。
【請求項５】
撮影記録が指示された際に、前記特定手段により特定された被写体部分を対象としてオートフォーカス機能によるピント合わせを行った後に撮影記録を行う撮影記録手段と、
前記表示処理手段による前記表示オブジェクトの表示が行われた後に、撮影記録が指示される前の段階でピント合わせの対象となる被写体部分を変更する変更手段とを更に備え、
前記特定手段は、前記変更手段によりピント合わせの対象となる被写体部分が変更される毎に、オートフォーカス機能によるピント合わせの対象となる被写体部分を逐次特定し、
前記表示処理手段は、前記変更手段によりピント合わせの対象となる被写体部分が変更される毎に、新たな被写体部分を対象とする前記表示オブジェクトの表示を行うことを特徴とする請求項２乃至４のいずれかに記載の撮像装置。
【請求項６】
前記距離取得手段は、前記オートフォーカス機能によるピント合わせ動作に基づいて被写体部分までの距離を取得することを特徴とする請求項２乃至５のいずれかに記載の撮像装置。
【請求項７】
前記表示処理手段は、前記表示オブジェクトとして、前記スルー画像における前記特定手段により特定された被写体部分に対応する第１の位置と予め決められた第２の位置とを結ぶとともに、前記距離取得手段により取得された距離に応じて形状が変化する距離表示線を前記表示手段にスルー画像に重ねて表示させる
ことを特徴とする請求項２記載の撮像装置。
【請求項８】
前記表示処理手段は、前記距離表示線として、前記距離取得手段により取得された距離に応じた曲率を有する放物線を前記表示手段に前記スルー画像に重ねて表示させることを特徴とする請求項７記載の撮像装置。
【請求項９】
前記表示処理手段は、前記距離表示線として、所定の曲率を有する放物線における所定の線分領域であって前記第１の位置の側の領域端が前記距離取得手段により取得された距離に応じた位置である所定の線分領域に相当する曲線を前記表示手段にスルー画像に重ねて表示させることを特徴とする請求項７記載の撮像装置。
【請求項１０】
前記特定手段は、オートフォーカス機能によるピント合わせの対象となる被写体部分として画角内に設定された所定のフォーカス枠内の領域を特定し、
前記特定手段により特定された被写体部分のうちでオートフォーカス機能によるピント合わせ後の合焦状態が最も良好である特定の被写体部分を判断する判断手段を更に備え、
前記表示処理手段は、前記判断手段により判断された特定の被写体部分に対応する位置を前記第１の位置とする距離表示線を前記表示手段にスルー画像に重ねて表示させる
ことを特徴とする請求項７又は８，９記載の撮像装置。
【請求項１１】
前記表示処理手段は、前記表示オブジェクトとして、前記スルー画像における前記特定手段により特定された被写体部分に対応する位置を示す位置表示用の表示オブジェクトと、透視図法の視線に相当する複数本のパース線とを前記表示手段にスルー画像に重ねて表示させることを特徴とする請求項２記載の撮像装置。
【請求項１２】
前記表示処理手段は、位置表示用の表示オブジェクトを、前記複数本のパース線のいずれかのパース線の線上であって前記特定手段により特定された被写体部分と距離が同一の被写体部分に対応する特定位置と対応付けて前記表示手段にスルー画像に重ねて表示させることを特徴とする請求項１１記載の撮像装置。
【請求項１３】
前記特定手段は、オートフォーカス機能によるピント合わせの対象となる被写体部分として画角内に設定された所定のフォーカス枠内の領域を特定し、
前記距離取得手段は、前記特定手段により特定された被写体部分を含む画角内全域の各々の被写体部分までの距離を取得し、
前記特定手段により特定された被写体部分のうちでオートフォーカス機能によるピント合わせ後の合焦状態が最も良好である特定の被写体部分を判断する判断手段を更に備え、
前記表示処理手段は、前記距離取得手段により取得された画角内全域の各々の被写体部分までの距離に基づき前記複数本のパース線を前記表示手段にスルー画像に重ねて表示させ、かつ前記位置表示用の表示オブジェクトとして、前記判断手段により判断された特定の被写体部分において直交する水平線及び垂直線を前記表示手段にスルー画像に重ねて表示させるとともに、前記水平線の表示に際し、前記水平線と交わるいずれかのパース線における前記水平線との交点であって、当該交点の被写体部分までの距離が前記特定手段により特定された被写体部分までの距離と同一である特定位置を前記水平線の一端とする
ことを特徴とする請求項１２記載の撮像装置。
【請求項１４】
前記表示処理手段は、前記表示手段に、前記複数本のパース線を前記特定手段により特定された被写体部分の前記スルー画像内における位置によって規定される所定範囲に表示させるとともに、前記複数本のパース線と共に３次元空間内の特定平面を表現する格子状の線図を構成する複数本の補助線をさらに前記スルー画像に重ねて表示させることを特徴とする請求項１１記載の撮像装置。
【請求項１５】
前記特定手段は、オートフォーカス機能によるピント合わせの対象となる被写体部分として画角内に設定された所定のフォーカス枠内の領域を特定し、
前記特定手段により特定された被写体部分のうちでオートフォーカス機能によるピント合わせ後の合焦状態が最も良好である特定の被写体部分を判断する判断手段を更に備え、
前記表示処理手段は、前記複数本のパース線を前記判断手段により判断された特定の被写体部分の前記表示手段にスルー画像内における位置によって規定される所定範囲に表示させることを特徴とする請求項１４記載の撮像装置。
【請求項１６】
装置からの距離が一定以上異なる複数の被写体部分が前記所定範囲に存在するか否かを判別する判別手段を更に備え、
前記表示処理手段は、前記判別手段により複数の被写体部分が前記所定範囲に存在すると判断された場合は、前記表示手段に、前記表示オブジェクトをスルー画像に重ねて表示させ、前記判別手段により複数の被写体部分が前記所定範囲に存在しないと判断された場合は、前記所定範囲を２次元的に示す他の表示オブジェクトを前記スルー画像に重ねて表示させる
ことを特徴とする請求項１４又は１５，１６記載の撮像装置。
【請求項１７】
オートフォーカス機能を備えた撮像装置において、
撮像した被写体の画像データをスルー画像として表示する工程と、
オートフォーカス機能によりピント合わせの対象となる被写体部分を特定する工程と、
特定した被写体部分までの距離を取得する工程と、
取得した距離に基づいて、前記被写体部分における装置に対する奥行き方向の位置を３次元的に表現するための表示オブジェクトを前記スルー画像に重ねて表示する工程と
を含むことを特徴とするフォーカス位置表示方法。
【請求項１８】
オートフォーカス機能を備えた撮像装置が有するコンピュータに、
撮像した被写体の画像データをスルー画像として表示する手順と、
オートフォーカス機能によりピント合わせの対象となる被写体部分を特定する手順と、
特定した被写体部分までの距離を取得する手順と、
取得した距離に基づいて、前記被写体部分における装置に対する奥行き方向の位置を３次元的に表現するための表示オブジェクトをスルー画像に重ねて表示する手順と
を実行させるためのフォーカス位置表示プログラム。
【手続補正２】
【補正対象書類名】明細書
【補正対象項目名】０００６
【補正方法】変更
【補正の内容】
【０００６】
また、請求項２記載の発明は更に、前記表示処理手段は、前記スルー画像内でつながりをもって描画される１または複数の表示オブジェクトにより、前記特定手段により特定された被写体部分の上下左右方向の位置と奥行き方向の位置の両方を同時に表現することを特徴とする。
【手続補正３】
【補正対象書類名】明細書
【補正対象項目名】０００７
【補正方法】変更
【補正の内容】
【０００７】
また、請求項３記載の発明は更に、前記表示処理手段は、前記スルー画像内でつながりをもって描画される１つの表示オブジェクトの位置と形状により、前記特定手段により特定された被写体部分の上下左右方向の位置と奥行き方向の位置の両方を同時に表現することを特徴とする。
【手続補正４】
【補正対象書類名】明細書
【補正対象項目名】０００８
【補正方法】変更
【補正の内容】
【０００８】
また、請求項４記載の発明は更に、前記表示処理手段は、前記スルー画像内でつながりをもって描画される複数の表示オブジェクトの各々の位置と、これら複数の表示オブジェクトの接続位置により、前記特定手段により特定された被写体部分の上下左右方向の位置と奥行き方向の位置の両方を同時に表現することを特徴とする。
【手続補正５】
【補正対象書類名】明細書
【補正対象項目名】０００９
【補正方法】変更
【補正の内容】
【０００９】
また、請求項５記載の発明は更に、撮影記録が指示された際に、前記特定手段により特定された被写体部分を対象としてオートフォーカス機能によるピント合わせを行った後に撮影記録を行う撮影記録手段と、前記表示処理手段による前記表示オブジェクトの表示が行われた後に、撮影記録が指示される前の段階でピント合わせの対象となる被写体部分を変更する変更手段とを更に備え、前記特定手段は、前記変更手段によりピント合わせの対象となる被写体部分が変更される毎に、オートフォーカス機能によるピント合わせの対象となる被写体部分を逐次特定し、前記表示処理手段は、前記変更手段によりピント合わせの対象となる被写体部分が変更される毎に、新たな被写体部分を対象とする前記表示オブジェクトの表示を行うことを特徴とする。